(57)【要約】【課題】筐体の収納部と、この収納部内に設置される部品との間の隙間を目立たなくして、電子装置のデザイン性の向上を図る。また、収納される部品の大きさなどによらずに隙間を目立たなくでき、電子装置の組立て処理の簡素化を図る。【解決手段】電子装置（２、６０）は、筐体（４、４０）と、パネル（１８）と、シート部材（加飾シート３０、６０）を含む。筐体は、外装面に表示手段（表示部品６、ＬＣＤユニット１６）を収納する収納部（８）が形成される。パネルは、収納部内に設置され、表示手段の前面側を覆う。シート部材は、表示手段の周囲に配置され、固定手段（接着部材２６、２８）を介して筐体とパネルとの間に積層されるとともに、先端側の一部を収納部の内壁に沿って接触させて屈曲部（３２）が形成される。そして、筐体は、パネルと収納部との間に形成される隙間（１２）から、シート部材の屈曲部を露出させる。【選択図】    図２
2014230228.tif 000002
【特許請求の範囲】
【請求項１】
外装面に表示手段を収納する収納部が形成された筐体と、
前記収納部内に設置され、前記表示手段の前面側を覆うパネルと、
前記表示手段の周囲に配置され、固定手段を介して前記筐体と前記パネルとの間に積層されるとともに、先端側の一部を前記収納部の内壁に沿って接触させて屈曲部が形成されるシート部材と、
を備え、
前記筐体は、前記パネルと前記収納部との間に形成される隙間から、前記シート部材の前記屈曲部を露出させることを特徴とする電子装置。
【請求項２】
前記シート部材は、前記収納部の開口幅よりも幅広に形成されることを特徴とする、請求項１に記載の電子装置。
【請求項３】
前記シート部材は、弾性部材で形成され、前記筐体との接触で形成された前記屈曲部が前記筐体側に向けて押圧されることを特徴とする、請求項１または請求項２に記載の電子装置。
【請求項４】
さらに、前記収納部の内部に発光手段を備え、
前記シート部材は、光を内部に取り込んで導く導光性部材で形成され、前記発光手段から照射された光を取り込み、前記屈曲部側で発光させることを特徴とする、請求項１ないし請求項３のいずれかに記載の電子装置。
【請求項５】
さらに、前記収納部には、内周側の一部に前記シート部材の折曲げ方向をガイドするガイド手段が形成され、
前記シート部材は、前記収納部内への挿入により、前記ガイド手段に沿って変形し、前記屈曲部が形成されることを特徴とする、請求項１ないし請求項４のいずれかに記載の電子装置。
【発明の詳細な説明】
【技術分野】
【０００１】
本発明は、外装側にパネル部材が嵌め込まれた筐体を備える電子装置に関する。
【背景技術】
【０００２】
携帯電話機などの電子装置は、筐体の前面側の一部に収納部が開口されており、その収納部内に表示手段が設置されるものがある。この表示手段の前面側には、表示手段に対する保護パネルや、利用者の指などの接触により入力操作が可能となるタッチパネルなどが嵌め込まれる。このような表示手段やパネルを嵌め込む構造は、たとえば電子装置の組立てを簡素化するほか、表示手段に対する筐体の狭額縁化などを実現するために採用されている。
【０００３】
筐体に対する嵌め込み構造は、たとえば配置される表示手段やパネルと筐体の開口部分との間で隙間ができやすく、止水や異物混入阻止などの機能部品を開口部と嵌め込まれる部品との間に介在させるものがある。
【０００４】
このような電子装置に関し、薄く形成され、筐体の上面側に設置される基板よりも大きい意匠パネルが基板の上面側に嵌め込まれるものが知られている（たとえば、特許文献１）。表示手段から発せられる光を透過させるとともに、タッチ入力を検出させるガラス部材が電子装置の枠体の開口部分の内部に設置されるとともに、開口部分を含み、枠体の外装側に透光性の樹脂基材が設置されるものが知られている（たとえば、特許文献２）。また、表示装置は、タッチパネルの周囲側に沿ったフレームの内壁側に対し、タッチパネルを支持する支持部材の一部に形成したストッパを突出させるものが知られている（たとえば、特許文献３）。
【先行技術文献】
【特許文献】
【０００５】
【特許文献１】特開２００９−２７７１２１号公報
【特許文献２】特開２０１２−０９８９７３号公報
【特許文献３】特開２０１２−０６８８２３号公報
【発明の概要】
【発明が解決しようとする課題】
【０００６】
ところで、電子装置の収納部は、たとえば、収納される表示手段やパネル部材との接触による干渉を回避するために、開口部分の縁などが、収納される部品の大きさや配置位置に対して大きめに形成される。これにより電子装置は、表示手段またはパネル部材に対する設置位置の誤差や、各部品の寸法誤差などによって部品が収納部に収納できない状態や、接触する筐体側から部品に対する応力の影響で、部品の損傷の発生を抑えている。
【０００７】
しかし電子装置は、設置される部品よりも収納部が大きく形成されることで、収納された部品と収納部の壁部との間に大きな隙間が存在する。この隙間は、たとえば着色された筐体と発光するパネルとの間に開口しており、深さが異なることで筐体に沿って生じた影が電子装置の前面側から目視される状態となる。このような影が生じる隙間は、デザイン上の不統一感を与えるほか、電子装置の美観を損ない、見栄えに影響を与えるという課題がある。
【０００８】
このような電子装置に対し、たとえばカバー部材を収納された部品の前面側に被せることで、隙間を外部に露出させなくするものがある。しかし、カバー部材を収納部の開口幅に対して完全に一致させるのは困難であり、隙間が埋められない場合や、カバー部材が大きくなることで筐体側まで覆われ、筐体表面に段差が生じるという課題がある。また、開口部分の隙間に合わせてカバー部材の大きさを調整するのは、電子装置の組立て作業の繁雑化を招くことになる。そのほか、表示装置などの前面側の周囲にシート部材が貼付されることで、タッチパネルの操作領域の境界部分が不明確になり、操作性の低下を招くおそれがある。
【０００９】
そこで、本開示の電子装置の目的は、筐体の収納部と、この収納部内に設置される部品との間の隙間を目立たなくして、電子装置のデザイン性を向上させることにある。
【００１０】
また、本開示の電子装置の他の目的は、収納される設置部品の大きさに応じて筐体の収納部の大きさの調整や加工などを行わずに隙間を目立たなくすることで、電子装置の組立て処理の簡素化を図ることにある。
【課題を解決するための手段】
【００１１】
上記目的を達成するため、本開示の構成の一側面は、筐体と、パネルと、シート部材を含む。筐体は、外装面に表示手段を収納する収納部が形成される。パネルは、前記収納部内に設置され、前記表示手段の前面側を覆う。シート部材は、前記表示手段の周囲に配置され、固定手段を介して前記筐体と前記パネルとの間に積層されるとともに、先端側の一部を前記収納部の内壁に沿って接触させて屈曲部が形成される。そして、前記筐体は、前記パネルと前記収納部との間に形成される隙間から、前記シート部材の前記屈曲部を露出させる。
【発明の効果】
【００１２】
本開示の電子装置によれば、次のいずれかの効果が得られる。
【００１３】
(1)  筐体の収納部内に設置されたシートにより隙間内部における影の発生を阻止し、隙間を目立たなくさせることができる。
【００１４】
(2)  収納部の内壁に沿って、シート部材の配置長さの調整や屈曲形状の形成処理が行え、電子装置の組立て処理の簡素化が図れる。
【図面の簡単な説明】
【００１５】
【図１】第１の実施の形態に係る電子装置の外観構成例を示す図である。
【図２】図１のＩＩ−ＩＩ線断面を示す図である。
【図３】電子装置の構成例を示す分解図である。
【図４】加飾シートおよび接着部材の外観構成例を示す図である。
【図５】加飾シートおよび接着部材の構成例を示す平面図である。
【図６】図５のＶＩ−ＶＩ線断面を示す図である。
【図７】加飾シートの設定処理の一例を示す図である。
【図８】電子装置の加飾状態例を示す図である。
【図９】第２の実施の形態に係る電子装置の筐体の内部構成例を示す図である。
【図１０】電子装置内部の構成例を示す図である。
【図１１】第３の実施の形態に係る電子装置の構成例を示す図である。
【図１２】比較例を示す図である。
【発明を実施するための形態】
【００１６】
〔第１の実施形態〕
【００１７】
図１は、本開示の電子装置の構成例を示している。図１に示す構成は一例であり、本発明が斯かる構成に限定されるものではない。
【００１８】
図１に示す電子装置２は、本開示の電子装置の一例であり、筐体４の前面側に表示部が露出して設置されている。この電子装置２には、たとえば携帯電話機や携帯型の情報処理装置、または携帯ゲーム機など、画像情報の表示機能を有する機器が含まれる。電子装置２は、たとえば筐体４の平面部分の一部に表示部品６を収納する収納部８が形成されている。この筐体４は、電子装置２の外装部品の一例であり、たとえば樹脂材料で形成され、単一部品または複数の部品が接合されて形成される。筐体４の内部には、電子装置２をコンピュータとして機能させる部品などが設置される。
【００１９】
筐体４は、たとえば電子装置２の前面側に対し、表示部品６などを内部に収納する収納部８が形成されている。表示部品６は、たとえばＬＣＤ（Liquid Crystal Display）ユニットなどが含まれ、前面側に利用者の指などの接触による入力操作を検出するタッチパネル部品などが設置される。表示部品６は、電子装置２の前面側に形成される縁部１０に対して、面一またはそれに近い状態で配置される。
【００２０】
筐体４は、たとえば収納部８の内周に沿って、表示部品６との間に隙間１２が形成される。この隙間１２は、本開示の隙間の一例であり、表示部品６に対する収納部８の幅の設定値や筐体４の成形時の寸法誤差などによって開口幅が決まる。
【００２１】
＜電子装置の内部構成について＞
【００２２】
図２は、図１のＩＩ―ＩＩ線断面を示している。図３は、電子装置の内部構成例を示す分解図である。図２、図３に示す構成は、一例である。
【００２３】
電子装置２は、たとえば図２および図３に示すように、収納部８の内部に基板１４、ＬＣＤユニット１６、パネル１８、外装加飾シート２０が収納されている。また、収納部８には、たとえば電子装置２の内部側に棚部２２が形成されている。この棚部２２は、たとえば筐体４の内壁に沿って、収納部８内の一部または全体に形成されている。棚部２２には、収納部８に収納されたパネル１８などを載置する載置面２４が含まれる。パネル１８は、平面側の一部に対し、接着部材２６、２８と加飾シート３０を介して棚部２２の載置面２４に載置される。
【００２４】
ＬＣＤユニット１６は、本開示の表示手段の一例であり、画像情報を生成して表示する。パネル１８は、ＬＣＤユニット１６の前面側を覆う本開示のパネルの一例であり、ＬＣＤユニット１６から発した画像情報を電子装置２の前面側に透過させる。また、パネル１８は、たとえば電子装置２の利用者の生体指などの接触によって入力操作を行うタッチパネル機能を搭載してもよい。パネル１８は、ＬＣＤユニット１６よりも幅広に形成されており、たとえば平面部分の中央側にＬＣＤユニット１６から透過させた画像情報を表示するエリアが設定されるとともに、平面部分の周縁側を載置面２４に載置させる窓枠エリアとして設定されている。これにより窓枠エリアには、ＬＣＤユニット１６からの画像情報が透過されないほか、利用者の指などを接触させない、または接触しても入力操作として検出しないように設定されている。
【００２５】
外装加飾シート２０は、パネル１８の前面側に対して設置されている。外装加飾シート２０は、パネル１８に対してたとえば接着材などを介して設置される。この外装加飾シート２０は、たとえばパネル１８の平面部分に対して全面に設置するほか、一定の範囲内にのみ設置してもよく、パネル１８の表示エリアに対してＬＣＤユニット１６から発した光を透過させる透明色などが設定されればよい。そのほか外装加飾シート２０は、たとえば電子装置２の外部からパネル１８を通して、収納部８内が目視されるのを阻止するために、パネル１８の窓枠エリアなどに対して、光透過率の低い色で形成してもよい。
【００２６】
接着部材２６、２８は、パネル１８と載置面２４とを加飾シート３０を介在させて固定する手段の一例であり、たとえば両面テープや粘着性の物質で形成してもよい。接着部材２６、２８は、ＬＣＤユニット１６の周囲側に配置され、たとえば載置面２４からＬＣＤユニット１６の前面側に対してパネル１８を配置させるように高さが設定される。これにより、載置面２４において、筐体４の棚部２２と加飾シート３０およびパネル１８は、積層状態となる。
【００２７】
＜加飾シート３０の構成について＞
【００２８】
加飾シート３０は、本開示のシート部材の一例であり、先端側の一部を隙間１２から露出させることで、載置面２４を電子装置２の前面側の隙間１２から視認させない手段の一例である。加飾シート３０は、先端側の一部を収納部８の内壁に沿って接触させて屈曲部３２が形成される。この加飾シート３０は、弾性部材が含まれ、たとえば筐体４の内壁との接触により変形した場合に、接触前の形状に戻る復元力を持たせるような硬度や厚さで形成されている。従って、電子装置２は、たとえばパネル１８の長辺側に対する隙間１２に対して、図３に示すように加飾シート３０の横幅（外郭幅）Ｗ２を筐体４の収納部８の横幅（外郭幅）Ｗ１よりも幅広に設定する。また、電子装置２は、たとえばパネル１８の短辺側についても同様に、収納部８の長さＬ１に対し、加飾シート３０の長辺側の長さＬ２を大きく設定している。
【００２９】
これにより、加飾シート３０は、たとえば先端部分や屈曲部３２の一部が屈曲に対する復元力により収納部８の内壁に向けて、押圧状態に維持される。すなわち、電子装置４の隙間１２の内部には、少なくとも加飾シート３０の屈曲部３２の一部が配置され、載置面２４を覆い隠している。加飾シート３０は、たとえば筐体４や外装加飾シート２０と同様の着色が施されてもよく、またはこれらと異なる色であって、光の反射率の高い色や塗料で着色されることで、外部から視認し易くしてもよい。加飾シート３０の着色は、たとえば少なくとも隙間１２から露出される屈曲部３２に施されればよい。
【００３０】
図４および図５は、加飾シートおよび接着部材の構成例を示している。図６は、図５のＶＩ−ＶＩ線断面を示している。
【００３１】
加飾シート３０は、たとえば図４に示すように、平面部分の両面に対して接着部材２６、２８を貼付して一体化されている。この加飾シート３０および接着部材２６、２８は、たとえばＬＣＤユニット１６の外周形状に対して包囲可能な形状で形成すればよい。また、加飾シート３０および接着部材２６、２８は、たとえば収納部８の開口形状に合わせて形成し、積層されるパネル１８と載置面２４との間に介在させることで、電子装置４の内部に対する止水手段として機能する。
【００３２】
加飾シート３０は、図５に示すように、収納部８の外壁に沿って配置される短辺側の外郭幅Ｗ２を積層された接着部材２６、２８の短辺側の外郭幅Ｗ３よりも幅広に形成している。また、加飾シート３０の長辺側の外郭幅Ｌ２を接着部材２６、２８の長辺側の外郭幅Ｌ３よりも幅広に形成している。これにより加飾シート３０は、接着部材２６、２８に対し、その外周側に対して先端側の一部を突出させた状態となる。加飾シート３０の一部および接着部材２６、２８の一部には、たとえば図６に示すように、接着部材２６、２８の横幅Ｗ４よりも加飾シート３０の横幅Ｗ５を長大に形成している。
【００３３】
また、加飾シート３０の他端側は、たとえばＬＣＤユニット１６が配置される電子装置２の中央側について、接着部材２６、２８と面一に形成してもよく、または一部をＬＣＤユニット１６や基板１４側に向けて突出させてもよい。また、加飾シート３０は、収納部８の内壁に先端側の一部を接触させるために、加飾シート３０の短辺側の幅Ｗ２を接着部材２６、２８の幅Ｗ３よりも大きく形成して突出形状にすれば加飾シート３０の幅Ｗ５は、接着部材２６、２８の幅Ｗ４よりも短く形成してもよい。
【００３４】
なお、加飾シート３０と接着部材２６、２８は、たとえば収納部８の開口形状に合わせて形成されるものに限られず、隙間１２が開口する部分にのみ加飾シート３０を設置してもよい。また、加飾シート３０と接着部材２６、２８を複数の部品に分離して収納部８内に設置するものであってもよい。この場合、電子装置２は、たとえばパネル１８の設置部分に対し、筐体４に対して別途止水パッキンなどが設置されればよい。
【００３５】
＜加飾シート３０の設置処理について＞
【００３６】
図７は、加飾シートの設置処理の一例を示している。図７に示す構成や処理手順、処理内容は一例であり、本発明が係る構成に限定されるものではない。
【００３７】
加飾シート３０の設置には、たとえば図７のＡに示すように、加飾シート３０および接着部材２６、２８を筐体４の収納部８の開口側に配置させる処理が含まれる。このとき加飾シート３０は、たとえば収納部８の内壁に接触させるために、加飾シート３０の先端側の一部を筐体４の縁部１０上に重なる位置に設定する処理が含まれる。この縁部１０に対する加飾シート３０の積層部分の長さは、たとえば屈曲部３２の形成長さに影響する。つまり、加飾シート３０の積層長さによって、屈曲部３２の角度が変化するほか、開口部１２側に向けた加飾シート３０の先端部分の配置高さが設定される。
【００３８】
そこで、加飾シート３０の設置では、たとえば加飾シート３０の載置長さに一定の基準値が設定されており、電子装置２の組立て処理において、その載置長さが調整されればよい。ここで、縁部１０に対する加飾シート３０の積層長さを大きくとると、収納部８の内壁に対する加飾シート３０の接触幅も大きくなる。
【００３９】
次に、配置された加飾シート３０および接着部材２６、２８は、たとえば図７のＢに示すように、加飾シート３０を設定された位置から収納部８内の方向に向けて、スライドさせる。このとき、加飾シート３０の先端側は、たとえば筐体４の縁部１０との接触により、縁部１０から収納部８の内壁を伝って加飾シート３０に追従する。そして、このスライドにおいて、加飾シート３０の先端側の一部が内壁からの摩擦抵抗によって撓むことで、屈曲部３２が形成される。
【００４０】
そして接着部材２８が載置面２４に到達すると、図７のＣに示すように、加飾シート３０は、内壁との間に形成された屈曲部３２を維持した状態で載置面２４に接着部材２８を接着して、固定させる。そして、パネル１８を接着部材２６の上面側に設置させると、屈曲部３２が形成された前面側に、パネル１８と収納部８の内壁によって隙間１２が形成される。
【００４１】
なお、接着部材２６、２８と一体化した加飾シート３０は、独立して筐体４の収納部８内に設置されるほか、予めパネル１８の一部に接着部材２６を介して接着させておき、このパネル１８とともに設置させてもよい。
【００４２】
＜隙間１２内部の状態について＞
【００４３】
図８は、電子装置の加飾状態例を示している。図８に示す構成は一例である。
【００４４】
収納部８に設置された加飾シート３０は、図８に示すように収納部８の内部において、電子装置２の外装表面側から棚部２２の載置面２４までの高さＨ１に対し、たとえば電子装置２の外装表面側から高さＨ２以内に配置されて載置面２４の上面を覆っている。加飾シート３０の屈曲部３２は、たとえば外光や、パネル１８が透過したＬＣＤユニット１６からの光を受けることで、隙間１２から目視可能な状態となる。
【００４５】
このように加飾シート３０は、たとえば隙間１２内に露出させて、電子装置２の外装表面側から載置面２４よりも浅い位置を覆うことで、載置面２４上や収納部８の内壁に沿って、隙間１２内に影が生じるのを阻止している。そして、電子装置２は、加飾シート３０が露出することで、パネル１８と筐体４の縁部１０との間の隙間１２に加飾シート３０による色層が形成される。また、加飾シート３０は、弾性力を持った材質で形成されることで、筐体４の内壁に対して屈曲形状が維持される。
【００４６】
斯かる構成によれば、収納部８内に設置された加飾シート３０を筐体４の内壁側で屈曲させ、この屈曲部３２をパネル１８と筐体４との隙間１２から露出させることで、隙間１２内部における影の発生を阻止する。そして電子装置２は、加飾シート３０により、隙間１２が目立たなくなることで、外観のデザイン性を向上させることができる。収納部８の内壁に沿って加飾シート３０を接触させて設置する構造により、加飾シート３０の配置長さの調整や屈曲形状の形成処理が行え、電子装置２の組立て処理の簡素化が図れる。具体的には、加飾シートを収納部８よりも幅広に形成し、収納部８内の壁面に接触させながら設置させて屈曲部３２を形成させることで、隙間１２の寸法に対する加飾シート３０の設置処理や寸法調整などが不要であり、屈曲部の形成処理が容易に行える。
【００４７】
〔第２の実施の形態〕
【００４８】
図９は、第２の実施の形態に係る電子装置の構成例を示しており、図１０は、電子装置内部の構成例を示している。図９および図１０に示す構成は一例であり、本発明が斯かる構成に限定されるものではない。
【００４９】
電子装置２の筐体４０には、たとえば図９のＡに示すように、収納部８内において、載置面２４上に加飾シート３０の一部を接触させて屈曲方向にガイドする折曲げガイド部４２が形成されている。この折曲げガイド４２は、たとえば載置面２４から筐体４の内壁に向けて所定の角度の傾斜面が形成されている。この折曲げガイド部４２の傾斜角度は、たとえば電子装置２の前面側から隙間１２内に配置される加飾シート３０の屈曲部３２が目視し易くなる角度や、加飾シート３０の屈曲部３２に皺を生じさせない角度に設定されればよい。折曲げガイド部４２は、たとえば収納部８の外形に沿って形成されており、図９のＢに示すように、収納部８の角部にも傾斜面を備えている。
【００５０】
折曲げガイド部４２は、図９のＣに示すように、載置面２４から一定の段差を設けて形成されてもよい。この段差は、たとえば加飾シート３０と載置面２４を固定するために設置される接着部材２８の厚さに基づいて設定された高さに形成すればよい。折曲げガイド部４２の横幅は、たとえば収納部８の開口幅と、この収納部８に収納されるパネル１８の幅との差に基づいて設定される。
【００５１】
収納部８内に設置された加飾シート３０は、たとえば図１０に示すように、先端側の一部が折曲げガイド部４２に配置され、その傾斜面に沿って隙間１２内で屈曲部３２が形成される。このとき、加飾シート３０は、弾性変形に対する復元力によって折曲げガイド部４２の傾斜面に対して押圧状態となり、屈曲形状が維持される。
【００５２】
なお、筐体４０は、折曲げガイド部４２が収納部８の全周に沿って連続して形成される場合を示したが、これに限られない。この折曲げガイド部４２は、たとえば収納部８に対し、隙間１２の開口が設定される部分のみに形成してもよく、または一定の距離毎に形成してもよい。
【００５３】
斯かる構成によれば、収納部８内において、折曲げガイド部４２に沿って加飾シート３０に屈曲部３２を形成させることで、屈曲部３２の角度や幅などの屈曲状態を一定にすることができ、隙間１２から露出する加飾シート３０の見栄えの統一感を持たせることができる。また、折曲げガイド部４２によって屈曲形状などの条件が設定されるので、隙間１２の開口幅や加飾シート３０の長さの誤差に対しても、屈曲部３２の形状を一定に形成することができる。
【００５４】
〔第３の実施の形態〕
【００５５】
図１１は、第３の実施の形態における電子装置の構成例を示している。図１１に示す構成は一例である。
【００５６】
図１１に示す電子装置６０は、たとえば隙間１２の内部を光らせることで影の発生を阻止している。電子装置６０は、たとえば収納部８内にＬＥＤ（Light Emitting Diode）などの発光手段６２やこの発光手段６２から発した光を導光する加飾シート６４を備えている。この発光手段６２は、たとえば基板１４上に実装されてもよく、または載置面２４上に設置されてもよい。また、加飾シート６４は、たとえばシリコン材料などの弾性変形可能であって、光を任意の方向に導く導光部材で形成されている。
【００５７】
この加飾シート６４は、本開示のシート部材の一例であり、先端側の一部を収納部８の内壁に沿って接触させて屈曲部３２が形成される。加飾シート６４の先端部分は、隙間１２から電子装置６０の前面側に指向されている。そして加飾シート６４は、収納部８の内部側に配置された一端から発光手段６２が発した光を取り込み、屈曲部３２を通じて隙間１２の開口側に向けて導光する。加飾シート６４の平面部分は、たとえば塗料などによって着色され、内部を導光する光によって所定の色で発光させてもよい。
【００５８】
電子装置６０の前面側には、たとえば隙間１２から加飾シート６４によって導光された光が放光され、パネル１８の周縁を発光させることができる。
【００５９】
斯かる構成によれば、パネル１８と筐体４との間の隙間１２から露出させる加飾シート６４によって、導光した光を隙間１２から発光させることで、隙間１２内部における影の発生を阻止することができる。そして電子装置６０は、加飾シート６４により、隙間１２が目立たなくなることで、外観のデザイン性を向上させることができる。加飾シート６４によって、載置面２４を露出させないことで、隙間１２内部にパネル１８や筐体４の内壁による影の発生を阻止できる。また、収納部８の内壁に沿って加飾シート６４を接触させて設置することで、加飾シート６４の配置長さの調整や屈曲形状の形成処理が行え、電子装置６０の組立て処理の簡素化が図れる。
【００６０】
〔比較例〕
【００６１】
図１２は、従来の電子装置の比較例を示している。
【００６２】
電子装置１００は、たとえば図１２のＡに示すように、表示部品６の一部であるパネル１８と、筐体４の縁部１０との境界部分に隙間１２が開口している。この隙間１２には、たとえば電子装置１００の前面側から収納部８内の載置面２４が露出している。隙間１２の深さは、たとえば収納部８内に設置される基板１４、ＬＣＤユニット１６およびパネル１８の厚さによって設定されている。パネル１８は、載置面２４に対し、収納部８の深さに応じて厚さが設定される接着部材１０２によって固定されている。
【００６３】
載置面２４が露出する隙間１２は、たとえば図１２のＢに示すように、パネル１８と筐体４の内壁との間に外光などの光が届かず、影が生じることになる。これにより電子装置１００は、表示部品６や筐体４の縁部１０に対して暗い空間部が視認されることになる。また、隙間１２は、外光などが進入した場合に載置面２４が照光されるが、縁部１０に対して照度が異なる。従って、隙間１２は、たとえば載置面２４が縁部１０と同様の着色がされていても、薄暗くなり、デザイン性において、筐体４全体の着色に不統一感を生じさせる。
【００６４】
これに対し、本開示の電子装置２では、パネル１８を確実に設置させるために、収納部８をパネル１８の大きさよりも大きく開口させたことで生じる隙間１２に対し、載置面２４よりも高い位置に加飾シート３０を露出させることで、外光などによって隙間１２内部に影が発生するのを阻止できる。また、収納部８の開口幅に対して幅広に設定した加飾シート３０を利用し、収納部８の内壁に沿って屈曲させることで、隙間１２の幅に対する加飾シート３０の寸法や形状の調整が不要になり、電子装置の組立て処理の簡素化が図れる。
【００６５】
〔その他の実施の形態〕
【００６６】
(1)  上記実施の形態では、加飾シート３０に対し、個別の接着部材２６、２８によって前面側と背面側で積層状態に形成したがこれに限られない。接着部材は、たとえば単一でもよく、その周囲側を包囲するように加飾シート３０を設置させてもよい。この接着部材は、たとえば前面側にパネル１８を載置させ、下面側を載置面２４に接着させるとともに、側面側から加飾シート３０の一部を挟持させてもよい。つまり既述の加飾シート３０は、たとえば接着部材２６、２８に対し、一端側を収納部８の内部に向けて突出させている。これに対し、加飾シート３０は、この一端側を単一の接着部材の内部に圧入させるように固定させればよい。これにより、電子装置の部品数の削減を図ることができる。
【００６７】
(2)  上記実施の形態では、加飾シート３０の屈曲部３２は、電子装置２の前面側に一端を向けるように屈曲させる場合を示したがこれに限らない。加飾シート３０は、たとえば先端部分を載置面２４側に向けて屈曲させてもよい。このとき加飾シート３０は、筐体４の内壁に対して復元力により押圧状態とさせることで、載置面２４を覆い、隙間１２から屈曲部３２を露出させる。斯かる構成により、隙間１２の内部には、加飾シート３０が所定の高さに配置されることで、影の発生を阻止することができる。
【００６８】
次に、以上述べた実施の形態に関し、更に以下の付記を開示する。以下の付記に本発明が限定されるものではない。
【００６９】
（付記１）外装面に表示手段を収納する収納部が形成された筐体と、
前記収納部内に設置され、前記表示手段の前面側を覆うパネルと、
前記表示手段の周囲に配置され、固定手段を介して前記筐体と前記パネルとの間に積層されるとともに、先端側の一部を前記収納部の内壁に沿って接触させて屈曲部が形成されるシート部材と、
を備え、
前記筐体は、前記パネルと前記収納部との間に形成される隙間から、前記シート部材の前記屈曲部を露出させることを特徴とする電子装置。
【００７０】
（付記２）前記シート部材は、前記収納部の開口幅よりも幅広に形成されることを特徴とする、付記１に記載の電子装置。
【００７１】
（付記３）前記シート部材は、前記パネルと前記筐体とを接着する接着部材と一体化して形成されることを特徴とする、付記１または付記２に記載の電子装置。
【００７２】
（付記４）前記シート部材は、弾性部材で形成され、前記筐体との接触で形成された前記屈曲部が前記筐体側に向けて押圧することを特徴とする、付記１ないし付記３のいずれかに記載の電子装置。
【００７３】
（付記５）前記シート部材は、少なくとも前記屈曲部に加飾処理が施されることを特徴とする、付記１ないし付記４のいずれかに記載の電子装置。
【００７４】
（付記６）さらに、前記収納部の内部に発光手段を備え、
前記シート部材は、光を内部に取り込んで導く導光性部材で形成され、前記発光手段から照射された光を取り込み、前記屈曲部側で発光させることを特徴とする、付記１ないし付記５のいずれかに記載の電子装置。
【００７５】
（付記７）さらに、前記収納部には、内周側の一部に前記シート部材の折曲げ方向をガイドするガイド手段が形成され、
前記シート部材は、前記収納部内への挿入により、前記ガイド手段に沿って変形し、前記屈曲部が形成されることを特徴とする、付記１ないし付記６のいずれかに記載の電子装置。
【００７６】
以上説明したように、本発明の最も好ましい実施形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【符号の説明】
【００７７】
２、６０、１００  電子装置
４、４０  筐体
６  表示部品
８  収納部
１０  縁部
１２  隙間
１４  基板
１６  ＬＣＤユニット
１８  パネル
２０  外装加飾シート
２２  棚部
２４  載置面
２６、２８、１０２  接着部材
３０、６４  加飾シート
３２  屈曲部
４２  折曲げガイド部
６２  発光手段
【図１】
2014230228.tif 000003
【図２】
2014230228.tif 000004
【図３】
2014230228.tif 000005
【図４】
2014230228.tif 000006
【図５】
2014230228.tif 000007
【図６】
2014230228.tif 000008
【図７】
2014230228.tif 000009
【図８】
2014230228.tif 000010
【図９】
2014230228.tif 000011
【図１０】
2014230228.tif 000012
【図１１】
2014230228.tif 000013
【図１２】
2014230228.tif 000014